(57)【要約】  最新サンプル中の被分析物濃度を測定するための検査装置。測定部は、検査装置中に含まれ、試薬および被分析物の反応を測定し、測定された反応を表示する信号を生成することに適合する。また検査装置は、測定部と電気的に連結され、測定部からの測定された反応を表示する信号の受信に応答してサンプル中の被分析物濃度を決定することに適合するプロセッサを含む。プロセッサと電気的に連結されたメモリがあり、そのメモリは、被分析物濃度を蓄え、最新サンプルおよび少なくとも１つの過去のサンプルを格納するためのものである。さらに検査装置は、プロセッサとまた電気的に連結されたユーザディスプレイを含み、それは最新サンプルおよび少なくとも１つの過去のサンプル中の被分析物の濃度をグラフで自動的に表示する。
2008524591.tif 000002
【特許請求の範囲】
【請求項１】
試薬および被分析物の反応測定ならびに測定された反応を表示する信号を生成するのに適合した測定部と、
前記測定部と電気的に連結され、前記測定部からの測定された反応を表示する信号の受信に応答し、最新サンプル中の被分析物濃度を測定することに適合したプロセッサと、
前記プロセッサと電気的に連結され、前記被分析物濃度を蓄え、最新サンプルおよび少なくとも１つの過去のサンプルを格納することに適合したメモリと、
少なくとも１つの前記プロセッサおよび前記メモリと電気的に連結され、最新サンプルおよび少なくとも１つの過去のサンプルの近似の被分析物濃度を表示することに適合した傾向表示ディスプレイと、
からなる最新サンプル中の被分析物の濃度を測定する検査装置。
【請求項２】
さらに、前記傾向表示ディスプレイ上に被分析物の最新サンプルの濃度および少なくとも１つの過去のサンプルの濃度表示をもたらすことに適合され、前記ディスプレイをトリガする、多くともワンステップ起動システムを含むことを特徴とする請求項１記載の装置。
【請求項３】
前記多くともワンステップ起動システムが単一のトグルボタンであることを特徴とする請求項２記載の装置。
【請求項４】
前記傾向表示ディスプレイが最新サンプルの濃度を数値形式で表示することを特徴とする請求項１記載の装置。
【請求項５】
前記傾向表示ディスプレイが最新サンプルの濃度をグラフ形式で表示することを特徴とする請求項１記載の装置。
【請求項６】
前記傾向表示ディスプレイがグラフを棒グラフ形式で表示することを特徴とする請求項５記載の装置。
【請求項７】
前記棒グラフが複数の分離した区分を含み、各分離した区分が濃度値のレベルに対応することを特徴とする請求項６記載の装置。
【請求項８】
前記棒グラフが高濃度レベル、正常濃度レベル、低濃度レベルを示す区分に分割されていることを特徴とする請求項７記載の装置。
【請求項９】
前記グラフが折れ線グラフであることを特徴とする請求項５記載の装置。
【請求項１０】
前記折れ線グラフが高濃度レベル、正常濃度レベル、低濃度レベルを示す区分に分割されていることを特徴とする請求項９記載の装置。
【請求項１１】
前記グラフが最新サンプルおよび少なくとも１つの過去のサンプルが測定された時間に基づいた時間間隔ごとに垂直に分割されていることを特徴とする請求項５記載の装置。
【請求項１２】
前記時間間隔が１日であることを特徴とする請求項１１記載の装置。
【請求項１３】
前記検査装置がユーザが最新サンプルあるいは少なくとも１つの過去のサンプルのうち１つを強調表示するようにカーソルを移動可能にするためのスクロールボタンを含んでいることを特徴とする請求項１記載の装置。
【請求項１４】
前記ディスプレイが強調表示されたサンプルに関する数値データを提供することを特徴とする請求項１３記載の装置。
【請求項１５】
前記数値データが濃度レベル、および強調表示されたサンプルが測定された日時を含むことを特徴とする請求項１４記載の装置。
【請求項１６】
前記試薬が光学的反応生成に適合し、前記測定部が当該光学的反応測定に適合することを特徴とする請求項１記載の装置。
【請求項１７】
前記光学的反応が比色分析反応であり、前記測定部が当該比色分析反応測定に適合することを特徴とする請求項１６記載の装置。
【請求項１８】
前記試薬が電気化学的反応生成に適合し、前記測定部が当該電気化学的反応測定に適合することを特徴とする請求項１記載の装置。
【請求項１９】
前記サンプルが血液であることを特徴とする請求項１記載の装置。
【請求項２０】
前記被分析物がグルコースであることを特徴とする請求項１記載の装置。
【請求項２１】
前記傾向表示ディスプレイが低解像度ディスプレイであることを特徴とする請求項１記載の装置。
【請求項２２】
前記傾向表示ディスプレイが区分されたディスプレイであることを特徴とする請求項１記載の装置。
【請求項２３】
少なくとも１つの過去のサンプルの濃度を蓄えるメモリを有し、
前記サンプルを収集するための検査センサ受信に適合しており、
前記検査センサは、前記サンプル中の被分析物濃度の反応表示生成に適合した試薬を含む、検査装置上に複数のサンプルを表示する方法であって、
最新サンプル中の被分析物と検査センサ中に含まれる試薬との間の反応を測定し、
体液中の被分析物の被分析物濃度を測定し、
傾向表示ディスプレイ上に被分析物の最新サンプルの濃度および少なくとも１つの過去のサンプルの濃度の近似値を表示する、
動作とからなる方法。
【請求項２４】
前記表示が連続的な表示かワンステップ起動に応答する表示のいずれかからなることを特徴とする請求項２３記載の方法。
【請求項２５】
前記１ステップ起動システムが単一のトグルボタンであり、前記傾向表示のディスプレイが前記単一のトグルボタンが起動された後に表示されることを特徴とする請求項２４記載の方法。
【請求項２６】
さらに前記最新サンプルの正確な濃度が数値形式で表示される動作を含むことを特徴とする請求項２３記載の方法。
【請求項２７】
前記表示が最新サンプルの濃度をグラフ形式で表示することを特徴とする請求項２３記載の方法。
【請求項２８】
さらに前記グラフ中で最新サンプル、あるいは少なくとも１つの過去のサンプルのうちの１つを強調する表示を含むことを特徴とする請求項２７記載の方法。
【請求項２９】
さらに前記強調表示されたサンプルの濃度に関する数値データ表示を含むことを特徴とする請求項２８記載の方法。
【請求項３０】
前記数値データ表示が正確な濃度レベルおよび強調表示されたサンプルの測定日時の表示を含むことを特徴とする請求項２９記載の方法。
【請求項３１】
前記グラフが棒グラフであることを特徴とする請求項２７記載の方法。
【請求項３２】
さらに前記棒グラフを複数の区分に分離する事を含み、各分離された区分が近似濃度値のレベルに対応していることを特徴とする請求項３１記載の方法。
【請求項３３】
さらに前記棒グラフを高濃度レベル、正常濃度レベル、低濃度レベルを示す区分に分割する事を含むことを特徴とする請求項３２記載の方法。
【請求項３４】
前記グラフが折れ線グラフであることを特徴とする請求項２７記載の方法。
【請求項３５】
さらに前記折れ線グラフを高濃度レベル、正常濃度レベル、低濃度レベルを示す区分に分割する事を含むことを特徴とする請求項３４記載の方法。
【請求項３６】
さらに前記グラフを最新および少なくとも１つの過去のサンプル測定された時間に基づいた時間間隔で縦に分割する事を含むことを特徴とする請求項２７記載の方法。
【請求項３７】
前記時間間隔が１日であることを特徴とする請求項３６記載の方法。
【請求項３８】
前記測定が光学的反応測定からなることを特徴とする請求項２３記載の方法。
【請求項３９】
前記測定が比色分析反応測定からなることを特徴とする請求項２３記載の方法。
【請求項４０】
前記測定が電気化学反応測定からなることを特徴とする請求項２３記載の方法。
【請求項４１】
前記サンプルが血液であることを特徴とする請求項２３記載の方法。
【請求項４２】
前記被分析物がグルコースであることを特徴とする請求項２３記載の方法。
【発明の詳細な説明】
【技術分野】
【０００１】
本発明は、一般に液体サンプルのモニタ装置に関し、より詳細には液体サンプル中の被分析物濃度を測定するための検査装置中に使用するディスプレイの製造、設計に関する。
【背景技術】
【０００２】
異常な血糖濃度値を持つ人は、血糖濃度値を個人で頻繁にモニタすることを要求される。異常な血糖値は、糖尿病のような病気を含むさまざまな理由によって引き起こされる可能性がある。血糖値をモニタする目的は、濃度値を測定し、その後、濃度値が高すぎるか低すぎるかに基づき、正しい行動を起こし、通常範囲内の値に戻すことである。正しい行動をとることの失敗は、重篤な医学的意味を持つことになる。
【０００３】
自己検査システムは、以上述べた血糖濃度値モニタを越えて、例えばコレステロール、アルコール、血液中のヘモグロビン、あるいは唾液中の化学物質のような、体液中の他の被分析物の存在、あるいは濃度を測定するために利用される。自己検査のための立場を越えて、携帯用検査装置は、水中や土壌中の薬物のさまざまなタイプ検査するためにも利用される。
【０００４】
人の血糖値をモニタする１つの方法は、携帯可能で手に持って操作できる血糖検査装置と一体となっている。従来の血糖検査装置６を図１に示す。これらの装置６の携帯用の本質は、ユーザがどこででも自分の血糖値を都合よく検査できるようにすることである。検査装置６は、解析のために血液を取り入れるための検査センサ７を受け入れる。検査センサ７は、検査それぞれに必要とされるものの１つであるが、血糖濃度値の糖（グルコース）表示を持つ測定可能な反応を生成するための試薬を含む反応エリアを包含する。検査センサは、その中に格納された試薬との反応のため、検査装置への挿入の前あるいは後に血液を取り入れる。
【０００５】
装置６は、装置６を起動するためのスイッチ８ａおよび血糖解析結果を表示するためのディスプレイ９を包含する。もう１つの方法として装置６は、検査センサ７の受け入れ時に自動的に起動する。血糖値のチェックのために、血の一滴は、例えば指先を刺すことで得られる。その血液は、検査センサ７を使用して取り入れられる。検査装置６へ挿入される検査センサ７は、血の一滴と接触する。検査センサ７は、例えば毛管現象を通してその内部へとその血液を動かす。もう１つの方法として血液サンプルは、検査センサ７を検査装置へ挿入する前に検査センサ７と共に取り入れられる。今検査センサ７の中の血液サンプルは、血液サンプル中の試薬と糖との間の反応をもたらす試薬と混ざっている。検査装置６は、その後、その血液中の糖濃度を決定するために反応を測定する。その検査結果が一旦検査装置６のディスプレイ９上に表示されると、検査センサ７は廃棄される。それぞれ新しい検査は、新しい検査センサ７を必要とする。異なるタイプの検査装置で使用するために検査センサも異なるタイプがある。電気化学あるいは光学的（例えば比色分析）分析は、血糖濃度値を測定するために使用する２つのタイプの検査である。
【特許文献１】ＵＳ特許Ｎｏ．６，１８１，４１７（題名：Ｐｈｏｔｏｍｅｔｒｉｃ  Ｒｅａｄｈｅａｄ  Ｗｉｔｈ  Ｌｉｇｈｔ  Ｓｈａｐｉｎｇ  Ｐｌａｔｅ）
【特許文献２】ＵＳ特許Ｎｏ．５，５１８，６８９（題名：Ｄｉｆｆｕｓｅ  Ｌｉｇｈｔ  Ｒｅｆｌｅｃｔａｎｃｅ  Ｒｅａｄｈｅａｄ）
【特許文献３】ＵＳ特許Ｎｏ．５，６１１，９９９（題名：Ｄｉｆｆｕｓｅ  Ｌｉｇｈｔ  Ｒｅｆｌｅｃｔａｎｃｅ  Ｒｅａｄｈｅａｄ）
【特許文献４】ＵＳ特許Ｎｏ．５，７２３，２８４（題名：Ｃｏｎｔｒｏｌ  Ｓｏｌｕｔｉｏｎ  Ａｎｄ  Ｍｅｔｈｏｄ  Ｆｏｒ  Ｔｅｓｔｉｎｇ  Ｔｈｅ  Ｐｅｒｆｏｒｍａｎｃｅ  Ｏｆ  Ａｎ  Ｅｌｅｃｔｒｏｃｈｅｍｉｃａｌ  Ｄｅｖｉｃｅ  Ｆｏｒ  Ｄｅｔｅｒｍｉｎｉｎｇ  Ｔｈｅ  Ｃｏｎｃｅｎｔｒａｔｉｏｎ  Ｏｆ  Ａｎ  Ａｎａｌｙｔｅ  Ｉｎ  Ｂｌｏｏｄ）
【発明の開示】
【発明が解決しようとする課題】
【０００６】
ユーザの過去の糖の測定値を表示するユーザにとって簡単に使えるようなディスプレイを含む安価な検査装置の必要性がある。
【課題を解決するための手段】
【０００７】
最新サンプル中の被分析物濃度を測定するための検査装置を本発明の一実施形態によって開示する。検査装置は、試薬および被分析物の反応を測定するのに適合する測定部を有している。測定された反応を表示する信号が生成される。測定部と電気的に連結され、測定部からの測定された反応を表示する信号の受信に応答し、サンプル中の被分析物濃度を決定することに適合するプロセッサがある。またその検査装置に含まれ、プロセッサと電気的に連結されたメモリがある。そのメモリは、被分析物濃度を蓄え、最新サンプルおよび少なくとも１つの過去のサンプルのストレージを含む。そのメモリは、また他の注記（食事情報、運動情報、制御測定、病害対策における興味深い他の生活情報）と同様に測定日時のようなその他関連のある情報を蓄えてもよい。またその検査装置に含まれるものとして、プロセッサに電気的に連結されたユーザディスプレイがある。そのユーザディスプレイは、最新サンプルおよび少なくとも１つの過去のサンプル中の被分析物濃度をグラフで自動的に表示する。またそのユーザディスプレイは、前述のその他関連のある情報をリストしてもよい。
【０００８】
本発明の前記の概要は、本発明の実施形態それぞれおよびすべての外観を示すつもりではない。詳細な説明と図は、本発明の実施形態および外観の多くを表現するであろう。
【発明を実施するための最良の形態】
【０００９】
本発明の前述のものやその他の利点は、以下の詳細記述を読み、図面を参照する際にはっきりしてくるであろう。
今、図２を参照すると、本発明の１つの実施形態にしたがったユーザの血糖濃度値を測定するための検査装置１０がある。以下の議論では血液中の糖濃度を測定することを記述しているが、本発明がその他のタイプのサンプル中の他の被分析物の濃度測定においても採用されてもよいことは理解されよう。
【００１０】
検査装置１０は、筐体１２、オプションの電源ボタン１４、オプションのスクロール要素あるいはボタン１６、表示パネル１８、オプションのワンステップ起動ボタン１９、オプションの表示装置２０を含む。電源ボタン１４は、検査装置１０の電源開閉のために使用される。もう１つの方法として、検査装置１０は、検査センサの受理の時点で自動起動されてもよい。別のもう１つの方法として、スクロールボタン１６の初期起動（例えば押下）が検査装置１０を起動する。表示パネル１８は、検査結果を表示し、図５−７以下に関連してより詳細に述べる。オプションの表示装置２０（例えばＬＥＤ）は、ユーザに検査装置１０による、異常な指示、糖（グルコース）測定値が高すぎる、あるいは低すぎる、あるいは別の問題であるといった警告状況を警告するために使用される。もう１つの実施形態としては、表示装置２０は存在せず、表示パネル１８が警告状況を警告するために使用される。検査装置１０は、正確な数値の測定結果や測定の日時、ユーザの運動やメニュー情報やその他の病害対策情報のような他の情報を表示するために、英数字ディスプレイ５６（図５）を有していてもよい。
【００１１】
図３を参照して、検査装置１０の内部構成要素を説明する。検査装置１０は、液体収集器具あるいは検査センサ２６を受ける測定部２８を含む。比色分析検査が実装される実施形態では、測定部は、分光器、光度測定部あるいは他の光学的測定部からなる。検査センサ２６は、血液サンプルと反応して血液サンプル中の糖の濃度の計測可能な反応表示を生成する試薬２７を含む。
【００１２】
検査装置１０の中に実装する試薬のタイプは、使用する測定タイプに依存する。例えば、比色分析検査において試薬は、血糖濃度値の比色分析反応表示をもたらしながら血液サンプル中の糖に反応する。光度測定部やその他の光学的装置は、色の変化の度合いを読む。比色分析測定は、ＵＳ特許Ｎｏ．６，１８１，４１７（題名：Ｐｈｏｔｏｍｅｔｒｉｃ  Ｒｅａｄｈｅａｄ  Ｗｉｔｈ  Ｌｉｇｈｔ  Ｓｈａｐｉｎｇ  Ｐｌａｔｅ）、ＵＳ特許Ｎｏ．５，５１８，６８９（題名：Ｄｉｆｆｕｓｅ  Ｌｉｇｈｔ  Ｒｅｆｌｅｃｔａｎｃｅ  Ｒｅａｄｈｅａｄ）とＵＳ特許Ｎｏ．５，６１１，９９９（題名：Ｄｉｆｆｕｓｅ  Ｌｉｇｈｔ  Ｒｅｆｌｅｃｔａｎｃｅ  Ｒｅａｄｈｅａｄ）の中で詳細が述べられている。
【００１３】
また図４を参照しながら、電気化学的測定部２９を持つ検査装置１０を本発明のもう１つの別の実施形態にしたがって図示する。電気化学的分析において試薬は、ユーザの血液中の糖の濃度に直線比例する酸化電流を電極３０で生成する血液中の糖との反応を示す。その電流は、電極３０と電気的に連結された電気化学的測定部２９によって測定される。電気化学的検査の例は、共同所有によるＵＳ特許Ｎｏ．５，７２３，２８４（題名：Ｃｏｎｔｒｏｌ  Ｓｏｌｕｔｉｏｎ  Ａｎｄ  Ｍｅｔｈｏｄ  Ｆｏｒ  Ｔｅｓｔｉｎｇ  Ｔｈｅ  Ｐｅｒｆｏｒｍａｎｃｅ  Ｏｆ  Ａｎ  Ｅｌｅｃｔｒｏｃｈｅｍｉｃａｌ  Ｄｅｖｉｃｅ  Ｆｏｒ  Ｄｅｔｅｒｍｉｎｉｎｇ  Ｔｈｅ  Ｃｏｎｃｅｎｔｒａｔｉｏｎ  Ｏｆ  Ａｎ  Ａｎａｌｙｔｅ  Ｉｎ  Ｂｌｏｏｄ）に詳細が記述されている。
【００１４】
図３あるいは図４を参照すると、検査装置１０は、電気的に測定部２８（図３）または電気機械的測定部２９（図４）と電源ボタン１４に連結されたプロセッサ３２を含む。プロセッサ３２は、血糖値を計算し、ディスプレイ１８にその結果を出力する。プロセッサ３２はまた、血糖値や測定日時のような過去の糖の測定値に関する情報を格納するためのメモリ３４と接続されていてもよい。もう１つの別の方法としてプロセッサ３２にこの情報を格納してもよい。
【００１５】
図５を参照して、ディスプレイ１８の実施形態を述べていく。この実施形態においては、ディスプレイ１８は、複数の別個の区分あるいは複数の四角形５２から作られる棒グラフディスプレイ５０を含む。例えば、液晶タイプのディスプレイでは、これらの別個の区分はセグメントあるいはピクセルに他ならない。棒グラフ表示の縦軸は、サンプル中の糖の近似濃度を表現する。一方横軸は、サンプルが採られた時間を表す。この実施形態においてその棒グラフは、糖の測定値の６つの異なる程度を表現するために垂直に配置した６つの四角形５２を含む。例えば、各四角形は、およそ７５ｍｇ／ｄＬの範囲を表現しているとも言える。グラフィックディスプレイを有する以前の検査装置では、グラフィックディスプレイは、糖濃度の正確な測定値をプロットする。これは、しばしばユーザにとって必要以上の多くの情報となり、またより高価なディスプレイを必要とする。
【００１６】
本実施形態では棒グラフは、また２つの水平線５４ａ、５４ｂを含む。２つの水平線５４ａ、５４ｂは、ユーザに「正常」あるいは平均糖濃度を明確に例示するために示される。線５４ａの上方の箱は、「高」糖濃度を示し、一方、線５４ｂの下方の四角は、「低」糖測定値を示す。実施形態によっては、３つの異なる濃度のタイプが別の色あるいは別の境界の形によって示されてもよいし、あるいは、濃度が「高」「低」あるいは「正常」かどうかのように視覚的境界が全くなくてもよい。
【００１７】
棒グラフの下方で数値ディスプレイ５６は、日付、時間、そして最新サンプル５７の正確な濃度を示す。スクロールボタン１６（図１−４）を使用すると、ユーザは最も最近のサンプルから過去のサンプルまでずっとスクロールすることが可能である。過去のサンプルに関するデータは、メモリ３４（図２）中、あるいはプロセッサ３２（図２）中に格納されてもよい。ユーザがスクロールするにつれて、ディスプレイスクリーンは様々なサンプルを強調表示していく。また、実施形態によっては、数値ディスプレイ５６が強調表示したサンプルが測定されたときの正確な濃度値や日時を表示していくものもある。実施形態によっては、ディスプレイスクリーン５０は、数値ディスプレイを含まず、濃度グラフだけを含んでいてもよい。
【００１８】
図６を参照するとディスプレイスクリーン１８のもう１つ別の実施形態が示される。この実施形態において、棒グラフ６０は、時間を特定の期間（例えば１日）で区分けする複数の縦の線５８ａ、５８ｂ、５８ｃを含む。例えば、図６に示す実施形態において、５８ａと５８ｂの間で示されたサンプルは、１日で採られたすべてのサンプルからなる。これによってユーザは、サンプルの濃度値が１日の期間でどのように変化したか、あるいはユーザが特に良い日や悪い日があったかどうかをすばやく精査することが可能となる。
【００１９】
この実施形態においてはスクロール方向矢印６２も例示する。スクロール方向矢印６２は、ユーザがその他の測定値もまた見ることができることを示す。矢印６２は、グラフがどの方向に延びていくかに依存して、スクリーン６２のいずれの方向でも存在可能である。
【００２０】
ディスプレイスクリーン１８のもう１つ別の実施形態を図７中に示す。この実施形態において、棒グラフ７０は、図５や図６中に示したような分離した四角形５２を含まない。代わりにサンプルは連続したバー７２からなる。これらのバーはユーザに糖測定値の合計表示を提供する。バーは、サンプルの正確な濃度（例えば、測定値７０ｍｇ／ｄＬは、測定値７５ｍｇ／ｄＬよりも低い）を表現するために描画されてもよいし、あるいはバーは依然として濃度の範囲を表現してもよい。図７においては、グラフ７０は、時間を区分している複数の縦線５８ａ、５８ｂ、５８ｃおよび「正常」な測定値を高い及び低い測定値から分けている複数の水平線５４ａ、５４ｂを含む。検査装置１０は、ユーザに低い、正常、高い範囲の間の境界を選択させることができるようにプログラム可能である。
【００２１】
実施形態によっては、グラフが図８中に示すような折れ線グラフ８０であってもよい。図８では、折れ線グラフ８０を持つディスプレイスクリーン１８を例示する。それぞれの糖濃度サンプルは、グラフ８０上の点８２によって示される。グラフ８０は、複数の縦線５８ａ、５８ｂ、５８ｃあるいは複数の水平線５４ａ、５４ｂを含んでも含んでいなくてもよい。
【００２２】
前記述べたような任意の実施形態において、ディスプレイ１８は、ユーザの最新ならびに過去の測定値を自動的におよび／または連続的に表示してもよい。もう１つ別の方法として、ユーザに最新の測定値表示、過去の測定値表示、警告のような他の情報を有したスクリーン表示、といった切り替えを可能にできるように、ワンステップ起動システム１９が含まれていてもよい。ワンステップ起動ボタン１９は、トグルボタンでもよい。もう１つ別の方法として、スクロールボタン１６の起動がディスプレイ１８上の傾向表示ディスプレイを起動してもよい。
【００２３】
本発明は、１つ以上の特定の実施形態を参照して述べられてきたが、この分野の技術を有する人が本発明の趣旨および範囲を逸脱することなく、多くの変更を行うことができることを認識できよう。これらおのおのの実施形態およびその明らかな変更は、本発明の趣旨および範囲内に収まるものとして予期できる。
【００２４】
代替実施形態Ａ
試薬および被分析物の反応測定ならびに測定された反応を表示する信号を生成するのに適合した測定部と、
前記測定部と電気的に連結され、その測定部からの測定された反応を表示する信号の受信に応答し、最新サンプル中の被分析物濃度を決定することに適合したプロセッサと、
前記プロセッサと電気的に連結され、被分析物濃度を蓄え、最新サンプルおよび少なくとも１つの過去のサンプルを格納することに適合したメモリと、
少なくとも１つの前記プロセッサおよび前記メモリと電気的に連結され、最新サンプルおよび少なくとも１つの過去のサンプルの近似の被分析物濃度を表示することに適合した傾向表示ディスプレイ
とからなる最新サンプル中の被分析物の濃度を測定する検査装置。
【００２５】
代替実施形態Ｂ
さらに、傾向表示ディスプレイ上に被分析物の最新サンプルの濃度および少なくとも１つの過去のサンプルの濃度表示をもたらすことに適合され、前記ディスプレイをトリガする、多くともワンステップ起動システムを含むことを特徴とする代替実施形態Ａ記載の装置。
【００２６】
代替実施形態Ｃ
前記多くともワンステップ起動システムが単一のトグルボタンであることを特徴とする代替実施形態Ｂ記載の装置。
【００２７】
代替実施形態Ｄ
前記傾向表示ディスプレイが最新サンプルの濃度を数値形式で表示することを特徴とする代替実施形態Ａ記載の装置。
【００２８】
代替実施形態Ｅ
前記傾向表示ディスプレイが最新サンプルの濃度をグラフ形式で表示することを特徴とする代替実施形態Ａ記載の装置。
【００２９】
代替実施形態Ｆ
前記傾向表示ディスプレイがグラフを棒グラフ形式で表示することを特徴とする代替実施形態Ｅ記載の装置。
【００３０】
代替実施形態Ｇ
前記棒グラフが複数の分離した区分を含み、各分離した区分が濃度値のレベルに対応することを特徴とする代替実施形態Ｆ記載の装置。
【００３１】
代替実施形態Ｈ
前記棒グラフが高濃度レベル、正常濃度レベル、低濃度レベルを示す区分に分割されていることを特徴とする代替実施形態Ｇ記載の装置。
【００３２】
代替実施形態Ｉ
前記グラフが折れ線グラフであることを特徴とする代替実施形態Ｅ記載の装置。
代替実施形態Ｊ
前記折れ線グラフが高濃度レベル、正常濃度レベル、低濃度レベルを示す区分に分割されていることを特徴とする代替実施形態Ｉ記載の装置。
【００３３】
代替実施形態Ｋ
前記グラフが最新サンプルおよび少なくとも１つの過去のサンプルが測定された時間に基づいた時間間隔ごとに垂直に分割されていることを特徴とする代替実施形態Ｅ記載の装置。
【００３４】
代替実施形態Ｌ
前記時間間隔が１日であることを特徴とする代替実施形態Ｋ記載の装置。
代替実施形態Ｍ
前記検査装置がユーザが最新サンプルあるいは少なくとも１つの過去のサンプルのうち１つを強調表示するようにカーソルを移動可能にするためのスクロールボタンを含んでいることを特徴とする代替実施形態Ａ記載の装置。
【００３５】
代替実施形態Ｎ
前記ディスプレイが強調表示されたサンプルに関する数値データを提供することを特徴とする代替実施形態Ｍ記載の装置。
【００３６】
代替実施形態Ｏ
前記数値データが濃度レベル、および強調表示されたサンプルが測定された日時を含むことを特徴とする代替実施形態Ｎ記載の装置。
【００３７】
代替実施形態Ｐ
前記試薬が光学的反応生成に適合し、前記測定部が光学的反応測定に適合することを特徴とする代替実施形態Ａ記載の装置。
【００３８】
代替実施形態Ｑ
前記光学的反応が比色分析反応であり、前記測定部が比色分析反応測定に適合することを特徴とする代替実施形態Ｐ記載の装置。
【００３９】
代替実施形態Ｒ
前記試薬が電気化学的反応生成に適合し、前記測定部が電気化学的反応測定に適合することを特徴とする代替実施形態Ａ記載の装置。
【００４０】
代替実施形態Ｓ
前記サンプルが血液であることを特徴とする代替実施形態Ａ記載の装置。
代替実施形態Ｔ
前記被分析物がグルコースであることを特徴とする代替実施形態Ａ記載の装置。
【００４１】
代替実施形態Ｕ
前記傾向表示ディスプレイが低解像度ディスプレイであることを特徴とする代替実施形態Ａ記載の装置。
【００４２】
代替実施形態Ｖ
前記傾向表示ディスプレイが区分されたディスプレイであることを特徴とする代替実施形態Ａ記載の装置。
【００４３】
代替実施形態Ｗ
少なくとも１つの過去のサンプルの濃度を蓄えるメモリを有し、
前記サンプルを収集するための検査センサ受信に適合しており、
前記検査センサは、前記サンプル中の被分析物濃度の反応表示生成に適合した試薬を含む、検査装置上に複数のサンプルを表示する方法であって、
最新サンプル中の被分析物と検査センサ中に含まれる試薬との間の反応を測定し、
体液中の被分析物の被分析物濃度を測定し、
傾向表示ディスプレイ上に被分析物の最新サンプルの濃度および少なくとも１つの過去のサンプルの濃度の近似値を表示する、
動作からなる方法。
【００４４】
代替実施形態Ｘ
前記表示が連続的な表示かワンステップ起動に応答する表示のいずれかからなることを特徴とする代替実施形態Ｗ記載の方法。
【００４５】
代替実施形態Ｙ
前記１ステップ起動システムが単一のトグルボタンであり、前記傾向表示のディスプレイが前記単一のトグルボタンが起動された後に表示されることを特徴とする代替実施形態Ｘ記載の方法。
【００４６】
代替実施形態Ｚ
さらに前記最新サンプルの正確な濃度が数値形式で表示される動作を含むことを特徴とする代替実施形態Ｗ記載の方法。
【００４７】
代替実施形態ＡＡ
前記表示が最新サンプルの濃度をグラフ形式で表示することを特徴とする代替実施形態Ｗ記載の方法。
【００４８】
代替実施形態ＡＢ
さらに前記グラフ中で最新サンプル、あるいは少なくとも１つの過去のサンプルのうちの１つを強調する表示を含むことを特徴とする代替実施形態Ｗ記載の方法。
【００４９】
代替実施形態ＡＣ
さらに前記強調表示されたサンプルの濃度に関する数値データ表示を含むことを特徴とする代替実施形態ＡＢ記載の方法。
【００５０】
代替実施形態ＡＤ
前記数値データ表示が正確な濃度レベルおよび強調表示されたサンプルの測定日時の表示を含むことを特徴とする代替実施形態ＡＣ記載の方法。
【００５１】
代替実施形態ＡＥ
前記グラフが棒グラフであることを特徴とする代替実施形態ＡＡ記載の方法。
代替実施形態ＡＦ
さらに前記棒グラフを複数の区分に分離する事を含み、各分離された区分が近似濃度値のレベルに対応していることを特徴とする代替実施形態ＡＥ記載の方法。
【００５２】
代替実施形態ＡＧ
さらに前記棒グラフを高濃度レベル、正常濃度レベル、低濃度レベルを示す区分に分割する事を含むことを特徴とする代替実施形態ＡＦ記載の方法。
【００５３】
代替実施形態ＡＨ
前記グラフが折れ線グラフであることを特徴とする代替実施形態ＡＡ記載の方法。
代替実施形態ＡＩ
さらに前記折れ線グラフを高濃度レベル、正常濃度レベル、低濃度レベルを示す区分に分割する事を含むことを特徴とする代替実施形態ＡＨ記載の方法。
【００５４】
代替実施形態ＡＪ
さらに前記グラフを最新および少なくとも１つの過去のサンプル測定された時間に基づいた時間間隔で縦に分割する事を含むことを特徴とする代替実施形態ＡＡ記載の方法。
【００５５】
代替実施形態ＡＫ
前記時間間隔が１日であることを特徴とする代替実施形態ＡＪ記載の方法。
代替実施形態ＡＬ
前記測定が光学的反応測定からなることを特徴とする代替実施形態Ｗ記載の方法。
【００５６】
代替実施形態ＡＭ
前記測定が比色分析反応測定からなることを特徴とする代替実施形態Ｗ記載の方法。
代替実施形態ＡＮ
前記測定が電気化学反応測定からなることを特徴とする代替実施形態Ｗ記載の方法。
【００５７】
代替実施形態ＡＯ
前記サンプルが血液であることを特徴とする代替実施形態Ｗ記載の方法。
代替実施形態ＡＰ
前記被分析物がグルコースであることを特徴とする代替実施形態Ｗ記載の方法。
【００５８】
本発明は、さまざまな修正および代替の形式を受け入れる余地がある一方で、特定の実施形態が図面の中で例によって示され、詳細に記述されている。しかし、本発明が開示された特定の形式に限定するものでないことは理解されよう。正確に言えば本発明は、添付の特許請求項目によって定義されるように、本発明の趣旨および範囲内に収まる修正物、同等物、代替物すべてをカバーするものとする。
【図面の簡単な説明】
【００５９】
【図１】図１は、従来の血糖検査装置の上面図である。
【図２】図２は、本発明の１つの実施形態にしたがった糖測定器（グルコース・メーター）の略図である。
【図３】図３は、図２の検査装置の機能ブロック図である。
【図４】図４は、本発明のもう１つの実施形態にしたがった図２の検査装置の機能ブロック図である。
【図５】図５は、図１の測定器上で使用されるディスプレイの一実施形態の図である。
【図６】図６は、図１の測定器上で使用可能なディスプレイのもう１つの実施形態の図である。
【図７】図７は、図１の測定器上で使用可能なディスプレイのさらにもう１つの実施形態の図である。
【図８】図８は、１つの実施形態にしたがった折れ線グラフを有するディスプレイスクリーンである。
【図１】
2008524591.tif 000003
【図２】
2008524591.tif 000004
【図３】
2008524591.tif 000005
【図４】
2008524591.tif 000006
【図５】
2008524591.tif 000007
【図６】
2008524591.tif 000008
【図７】
2008524591.tif 000009
【図８】
2008524591.tif 000010
【国際調査報告】
2008524591.tif 000011
2008524591.tif 000012
2008524591.tif 000013